(57)【特許請求の範囲】
【請求項１】
ハウジング（５０）と、
前記ハウジング（５０）に取り付けられ、第１の開口部を有する表示画面（２０）と、
前記ハウジング（５０）内に取り付けられ、前記第１の開口部に整列されるカメラ（３１）と、
前記表示画面（２０）と前記カメラ（３１）との間に設置され、前記第１の開口部に整列される、音響信号を前記第１の開口部経由で伝えるように構成されたレシーバ（３３）と、
を備えるモバイル端末（１００）であって、
前記レシーバ（３３）が光信号通路（３４）を有し、前記カメラ（３１）が外部光信号を前記光信号通路（３４）および前記第１の開口部経由で取得し、
前記モバイル端末（１００）がセンサアセンブリ（３２）をさらに備え、前記センサアセンブリ（３２）が前記ハウジング（５０）内に取り付けられ、前記センサアセンブリ（３２）が信号を前記光信号通路（３４）および第１の開口部経由で放出するかつ／または受け取り、
前記カメラ（３１）はベース（３１１）およびカメラレンズ（３１２）を含み、前記ベース（３１１）は前記表示画面（２０）に向かう取付面を含み、前記カメラレンズ（３１２）及び前記センサアセンブリ（３２）が前記取付面に取り付けられる、
モバイル端末（１００）。
【請求項２】
前記レシーバ（３３）が透明ダイヤフラム（３３１）を備え、前記透明ダイヤフラム（３３１）が前記第１の開口部に整列される、請求項１に記載のモバイル端末（１００）。
【請求項３】
前記レシーバ（３３）が永久磁石（３３３）をさらに備え、前記永久磁石（３３３）が前記ダイヤフラム（３３１）の、前記カメラ（３１）に隣接する側に配置され、前記永久磁石（３３３）が前記カメラ（３１）に整列される第２の開口部を有する、請求項２に記載のモバイル端末（１００）。
【請求項４】
前記レシーバ（３３）が磁気伝導性シート（３３４）および磁気伝導性プレート（３３５）をさらに備え、前記磁気伝導性シート（３３４）および前記磁気伝導性プレート（３３５）がそれぞれ前記永久磁石（３３３）の両側に配置され、前記磁気伝導性シート（３３４）および前記磁気伝導性プレート（３３５）にはそれぞれ、前記第２の開口部に整列される第３の開口部および第４の開口部が設けられる、請求項３に記載のモバイル端末（１００）。
【請求項５】
前記透明ダイヤフラム（３３１）、前記第３の開口部、前記２の開口部、および前記第４の開口部が前記光信号通路（３４）を形成する、請求項４に記載のモバイル端末（１００）。
【請求項６】
前記センサアセンブリ（３２）が信号エミッタ（３２１）および信号レシーバ（３２２）を備え、前記信号エミッタ（３２１）および前記信号レシーバ（３２２）がそれぞれ前記カメラレンズ（３１２）の左右両側に配置される、請求項１に記載のモバイル端末（１００）。
【請求項７】
前記センサアセンブリ（３２）が環境光センサ（３２３）をさらに備え、前記環境光センサ（３２３）が環境光信号を前記光信号通路（３４）および前記第１の開口部経由で受け取る、請求項６に記載のモバイル端末（１００）。
【請求項８】
前記第１の開口部が前記表示画面（２０）の上部中央に配置される、請求項１から７のいずれか一項に記載のモバイル端末（１００）。
【発明の詳細な説明】
【技術分野】
【０００１】
本開示は通信技術の分野に関し、詳細には、モバイル端末、モバイル端末用のレシーバ、およびモバイル端末用のレシーバおよびカメラアセンブリに関する。
【背景技術】
【０００２】
従来のモバイル端末（スマートフォンなど）では、レシーバがモバイル端末内に取り付けられている。レシーバの上部に開口部が設けられ、レシーバは、モバイル端末が音響信号をユーザに伝えることができるように、音波を開口部経由で外方に送る。
【０００３】
一方、モバイル端末内にカメラも取り付けられ、カメラは、カメラが外部画像を開口部経由で取得することができるように、上部にさらに開口部を有する。
【０００４】
しかしながら、この種の設計的解決法では、レシーバおよびカメラの機能を実現するように、画面に複数の開口部を設ける必要がある。複数の開口部はモバイル端末の画面の広い面積を占める必要があり、これにより画面に対する表示領域の比率が低くなる。
【発明の概要】
【発明が解決しようとする課題】
【０００５】
本開示の諸実施形態は、モバイル端末の画面に対する表示領域の比率を高めることができるモバイル端末を提供する。
【発明を解決するための手段】
【０００６】
本開示の諸実施形態は、ハウジング、表示画面、カメラおよびレシーバを含むモバイル端末を提供するものであり、表示画面はハウジングに取り付けられ、第１の開口部を有し、カメラはハウジング内に取り付けられ、第１の開口部に整列され、電話は表示画面とカメラとの間に取り付けられ、音響信号を第１の開口部経由で伝えるものであり、レシーバは光信号通路を有し、カメラは、外部光信号を光信号通路および第１の開口部経由で取得する。
【０００７】
本開示の諸実施形態は、振動部分および磁気回路部分を含む、モバイル端末内に取り付けられるように構成されたレシーバを提供するものであり、振動部分は透明ダイヤフラムを含み、磁気回路部分に貫通孔が形成され、透明ダイヤフラムおよび貫通孔は光信号通路を形成する。
【０００８】
本開示の諸実施形態は、レシーバ、カメラを含む、モバイル端末内に取り付けられるように構成されたレシーバおよびカメラアセンブリをさらに提供するものであり、レシーバは光信号通路を有し、カメラは光信号通路に整列される。
【０００９】
本実施形態で提供されるモバイル端末では、カメラはモバイル端末の厚さ方向に沿って電話の下に配置されるので、表示画面にカメラおよび電話用の独立した孔を設ける必要はない。したがって、表示領域に対する表示画面の孔の占有が減少し、モバイル端末の画面に対する表示領域の比率が増大する。
【００１０】
本開示の諸実施形態における技術的解決法をより明瞭に説明するために、実施形態を説明するために必要な添付図面は以下で簡単に紹介される。以下の説明における添付図面は、本開示のいくつかの実施形態を例示しているにすぎず、当業者は、これらの添付図面から他の図面を創造的な努力なしに導き出すこともできる。
【図面の簡単な説明】
【００１１】
【図１】本開示の一実施形態で提供されるモバイル端末の概略図である。
【図２】本開示の一実施形態で提供されるモバイル端末の分解図である。
【図３】本開示の一実施形態で提供されるカバープレートの概略図である。
【図４】本開示の一実施形態で提供される表示画面の概略図である。
【図５】本開示の一実施形態で提供されるカメラの第１の概略図である。
【図６】本開示の一実施形態で提供されるカメラの第２の概略図である。
【図７】本開示の一実施形態で提供されるレシーバの断面図である。
【図８】本開示の一実施形態における、レシーバ、カメラおよびセンサアセンブリが回路板に取り付けられた場合の概略図である。
【図９】図１のモバイル端末のＰ−Ｐ方向に沿って見た第１の断面図である。
【図１０】図１のモバイル端末のＰ−Ｐ方向に沿って見た第２の断面図である。
【図１１】図１のモバイル端末のＰ−Ｐ方向に沿って見た第３の断面図である。
【図１２】本開示の一実施形態で提供されるレシーバおよびカメラアセンブリの概略図である。
【発明を実施するための形態】
【００１２】
本開示の諸実施形態の技術的解決法について、本開示の諸実施形態における添付図面を参照して以下で明瞭かつ完全に説明する。説明する実施形態は、本開示の諸実施形態のすべてではなく一部にすぎないのは明らかである。本開示における諸実施形態に基づいて創造的努力なしに当業者によって得られる他の実施形態はすべて、本開示の保護範囲に属する。
【００１３】
本明細書において、「中央（ｃｅｎｔｒａｌ）」、「縦方向（ｌｏｎｇｉｔｕｄｉｎａｌ）」、「横方向（ｌａｔｅｒａｌ）」、「長さ（ｌｅｎｇｔｈ）」、「幅（ｗｉｄｔｈ）」、「厚さ（ｔｈｉｃｋｎｅｓｓ）」、「上方（ｕｐｐｅｒ）」、「下方（ｌｏｗｅｒ）」、「前面（ｆｒｏｎｔ）」、「背面（ｒｅａｒ）」、「左（ｌｅｆｔ）」、「右（ｒｉｇｈｔ）」、「垂直（ｖｅｒｔｉｃａｌ）」、「水平（ｈｏｒｉｚｏｎｔａｌ）」、「上部（ｔｏｐ）」、「下部（ｂｏｔｔｏｍ）」、「内部（ｉｎｎｅｒ）」、「外部（ｏｕｔｅｒ）」、「時計回り（ｃｌｏｃｋｗｉｓｅ）」、「反時計回り（ｃｏｕｎｔｅｒｃｌｏｃｋｗｉｓｅ）」などの用語は、議論中の次いで説明されるまたは図面に示されている向きを指すと解釈されるべきであることを理解されたい。これらの相対的な用語は、説明を簡便にするためのものであり、本開示が特定の向きに構成または操作される必要はない。加えて、「第１の（ｆｉｒｓｔ）」や「第２の（ｓｅｃｏｎｄ）」などの用語は、説明を簡便にするために本明細書で用いられ、相対的重要性または有意性を示すまたは含意するものではない。したがって、「第１の」および「第２の」によって限定される特徴は、１つまたは複数のこれらの特徴を含むことを示すまたは含意するものである。本開示の説明では、「複数の（ａ  ｐｌｕｒａｌｉｔｙ  ｏｆ）」という用語は、特に指定されない限り、２つまたは３つ以上を意味する。
【００１４】
本開示では、特に指定または制限されない限り、「取り付けられ（ｍｏｕｎｔｅｄ）」、「接続され（ｃｏｎｎｅｃｔｅｄ）」、「接合され（ｊｏｉｎｅｄ）」、「固定され（ｆｉｘｅｄ）」などの用語は広義に用いられ、例えば、固定された接続、取外し可能な接続、または一体の接続でよく、機械的または電気的接続でもよく、直接接続または介在構造を介した間接接続でもよく、２つの要素の内部通信でもよい。上記の用語は、特定の状況に応じて当業者によって理解され得る。
【００１５】
本開示の説明では、第１の特徴が第２の特徴「上（ｏｎ）」にある構造は、第１の特徴が第２の特徴に直接接触している実施形態を含むことができ、特に指定されない限り、第１の特徴が第２の特徴に直接接触しないように追加の特徴が第１の特徴と第２の特徴との間に形成される実施形態も含むことができる。さらに、第２の特徴「上（ｏｎ）」、「〜の上方（ａｂｏｖｅ）」、または「〜の上部（ｏｎ  ｔｏｐ  ｏｆ）」の第１の特徴は、第１の特徴が第２の特徴「〜のすぐ上」、「〜のすぐ上方」または「〜のすぐ上部」にある実施形態を含むことができ、第１の特徴が第２の特徴「〜のすぐ上」、「〜のすぐ上方」または「〜のすぐ上部」にない実施形態も含むことができ、あるいは単に第１の特徴の海抜が第２の特徴の海抜よりも高いことを意味する。他方、第２の特徴「〜の真下（ｂｅｎｅａｔｈ）」、「〜の下（ｂｅｌｏｗ）」または「〜の下部（ｏｎ  ｂｏｔｔｏｍ  ｏｆ）」の第１の特徴は、第１の特徴が第２の特徴「〜のすぐ真下」、「〜のすぐ下方」または「〜のすぐ下部」にある実施形態を含むことができ、第１の特徴が第２の特徴「〜のすぐ真下」、「〜のすぐ下方」または「〜のすぐ下部」にない実施形態を含むことができ、あるいは単に第１の特徴の海抜が第２の特徴の海抜よりも低いことを意味する。
【００１６】
以下の開示は、本開示の様々な構造を実現するために多様な実施形態または例を提供する。本開示の開示を簡略化するために、特定例における構成要素および構成が詳述される。もちろん、上記の構成要素および構成は例示的なものであり、本開示を限定するものではない。さらに、参照番号および／または文字は、簡単かつ明瞭にするために本開示の様々な例において繰り返されることがあり、様々な実施形態および／または構成の間の関係を示すように構成されるべきではない。加えて、本開示は、様々な特定のプロセスおよび材料の例を提供するが、他のプロセスの適用可能性および／または他の材料の利用が当業者には考えられる。
【００１７】
図１および図２を参照すると、モバイル端末１００は、カバープレート１０、表示画面２０、回路板３０、電池４０およびハウジング５０を含む。
【００１８】
カバープレート１０は、表示画面２０を覆うように表示画面２０に取り付けられる。図３を参照すると、カバープレート１０は第１の貫通孔１０１および第２の貫通孔１０２を有する。第１の貫通孔１０１および第２の貫通孔１０２はそれぞれカバープレート１０の両端に配置される。第１の貫通孔１０１は、モバイル端末１００内のレシーバが音響信号を第１の貫通孔経由で外方に伝えるのを可能にするように構成することができる。第２の貫通孔１０２は、モバイル端末１００内の指紋ユニットをイネーブルにしてユーザの指情報を第２の貫通孔経由で取得するように構成することができる。
【００１９】
いくつかの実施形態では、第１の貫通孔１０１はカバープレート１０の上部中央に配置することができ、第２の貫通孔１０２はカバープレート１０の下部中央に配置することができる。
【００２０】
カバープレート１０は透明ガラス製カバープレートとすることができる。いくつかの実施形態では、カバープレート１０は、サファイアなどの材料で作られたガラス製カバープレートとすることができる。
【００２１】
表示画面２０は、モバイル端末１００の表示面を形成するようにハウジング５０に取り付けられる。図４を参照すると、表示画面２０は表示領域２０１および非表示領域２０２を含む。表示領域２０１は画像やテキストなどの情報を表示するように構成される。非表示領域２０２は情報を表示しない。非表示領域２０２には、指紋ユニットやタッチ回路などの機能的アセンブリを設けることができる。
【００２２】
表示領域２０１には第３の貫通孔２０３を設けることができる。第３の貫通孔２０３はカバープレート１０の第１の貫通孔１０１に整列される。第３の貫通孔２０３は、モバイル端末１００内のカメラが外部画像信号を第３の貫通孔経由で取得することができ、モバイル端末１００内の近接センサが信号を第３の貫通孔経由で送受信することができ、かつモバイル端末１００内のレシーバが音響信号を第３の貫通孔経由で外方に伝えることができるように構成することができる。
【００２３】
非表示領域２０２には第４の貫通孔２０４が設けられる。第４の貫通孔２０４はカバープレート１０の第２の貫通孔１０２に整列される。第４の貫通孔２０４は、モバイル端末１００内の指紋ユニットがユーザの指紋情報を第４の貫通孔経由で取得することができるように構成することができる。
【００２４】
いくつかの実施形態では、第３の貫通孔２０３は表示領域２０１の上部中央に配置することができ、第４の貫通孔２０４は非表示領域２０２の下部中央に配置することができる。
【００２５】
回路板３０はハウジング５０内に取り付けられる。回路板３０はモバイル端末１００のメインボードとすることができ、カメラ、近接センサ、レシーバなどの機能的アセンブリは回路板３０内に一体化することができる。一方、表示画面２０は回路板３０に電気的に接続することができる。
【００２６】
図５を参照すると、カメラ３１は回路板３０内に一体化することができる。カメラ３１はベース３１１およびカメラレンズ３１２を含む。カメラレンズ３１２はベース３１１に取り付けられる。ベース３１１の外形は長方形、円形または他の形状にすることができる。ベース３１１の外形サイズは、ステップ３１０がカメラレンズ３１２およびベース３１１の取付面に形成され得るように、カメラレンズ３１２の外形サイズよりも大きい。ステップ３１０のステップ表面はモバイル端末１００内の表示画面２０と向かい合う。
【００２７】
センサアセンブリ３２はステップ３１０に取り付けられる。センサアセンブリ３２は信号エミッタ３２１および信号レシーバ３２２を含む。信号エミッタ３２１および信号レシーバ３２２は近接センサを構成することができる。信号エミッタ３２１および信号レシーバ３２２は回路板３０に電気的に接続される。
【００２８】
信号エミッタ３２１は信号を放出するように構成され、信号レシーバ３２２は、放出信号を外部物体で反射することにより形成される反射信号を受け取るように構成される。モバイル端末１００は、表示画面２０の表示状態を制御するように反射信号の強度に応じてモバイル端末１００と外部物体との間の距離状態を判断することができる。
【００２９】
上述の信号は、赤外線やレーザなどの光信号とすることができ、他の種類の信号とすることもできる。
【００３０】
信号エミッタ３２１および信号レシーバ３２２は、モバイル端末１００の幅方向に沿ってカメラレンズ３１２の異なる側面に配置することができる。信号エミッタ３２１および信号レシーバ３２２は、モバイル端末１００の長さ方向に沿ってカメラレンズ３１２の異なる側面に配置することもできる。
【００３１】
カメラ３１にはステップ３１０が形成され、したがってセンサアセンブリ３２はステップ３１０上に取り付けることができ、モバイル端末１００内のセンサアセンブリ３２に独立した開口部を設ける必要はない。したがって、モバイル端末１００の画面内の表示領域上でのセンサアセンブリ３２の占有が減少する、すなわち画面に対する表示領域の比率が増大する。
【００３２】
図６を参照すると、センサアセンブリ３２は環境光センサ３２３をさらに含む。環境光センサ３２３はカメラレンズ３１２の周囲に配置され、ステップ３１０上に取り付けられる。環境光センサ３２３はまた、回路板３０に電気的に接続される。環境光センサ３２３は環境光信号を受け取るように構成される。モバイル端末１００は、環境光信号の強度に応じて表示画面２０の明るさを調整することもできる。
【００３３】
図７を参照すると、レシーバ３３は回路板３０内に一体化することができる。レシーバ３３は、振動部分３３−１、磁気回路部分３３−２および支持部分３３−３で構成することができる。支持部分３３−３はレシーバ３３のケーシングとして形成される。磁気回路部分３３−２は磁気回路を形成するようにケーシング内に取り付けられる。振動部分３３−１は磁気回路部分３３−２の上方に取り付けられ、振動によって音を発生させる。
【００３４】
振動部分３３−１はダイヤフラム３３１および音声コイル３３２を含む。音声コイル３３２は、ダイヤフラム３３１の片側に配置され、ダイヤフラム３３１に接続される。音声コイル３３２とダイヤフラム３３１との間の接続は複数の方法によって実現することができる。例えば、音声コイル３３２はダイヤフラム３３１に接着方法で接続することができる。
【００３５】
ダイヤフラム３３１は、光信号が通過できるように透明ダイヤフラムとすることができる。ダイヤフラム３３１の形状はレシーバ３３の形状に合致する。ダイヤフラム３３１の形状は円形とすることができる。
【００３６】
ダイヤフラム３３１は弾性ダイヤフラムとすることができ、ダイヤフラムの厚さ方向に沿って上下に振動することができる。ダイヤフラム３３１が振動するとき、ダイヤフラムの両側の空気が音を発生させるようにダイヤフラムと共に振動する。
【００３７】
音声コイル３３２は絶縁フレーム上に導電線を巻き付けることによって形成され、導電線は絶縁外層を有する。音声コイル３３２上の導電線は、モバイル端末１００内部の音声周波数回路に接続されるように構成される。
【００３８】
磁気回路部分３３−２は、永久磁石３３３、磁気伝導性シート３３４および磁気伝導性プレート３３５を含む。磁気伝導性シート３３４は永久磁石３３３の一方の側（Ｎ極）に配置することができ、磁気伝導性プレート３３５は永久磁石３３３の他方の側（Ｓ極）に配置される。磁気伝導性シート３３４および磁気伝導性プレート３３５は、閉磁気回路を形成するように永久磁石３３３によって放出される磁束線を伝導するように構成される。永久磁石３３３のＮ極によって放出された磁束線は、磁気伝導性シート３３４を通過し、次いで磁気伝導性プレート３３５を通過し、最後に永久磁石３３３のＳ極に入り、それによって閉ループ回路を形成する。磁気伝導性シート３３４は鉄シートとすることができ、磁気伝導性プレート３３５は薄い鉄板とすることができる。磁気伝導性シート３３４および磁気伝導性プレート３３５の形状は正方形、長方形、または円形とすることができる。磁気伝導性シート３３４、永久磁石３３３、および磁気伝導性プレート３３５は接着方法で固定することができる。
【００３９】
永久磁石３３３は開口部３３０を有し、磁気伝導性シート３３４には開口部３４０が設けられ、磁気伝導性プレート３３５は開口部３５０を有する。開口部３４０および開口部３５０は共に開口部３３０に整列される。
【００４０】
透明ダイヤフラム３３１、開口部３４０、開口部３３０および開口部３５０は互いに、光信号が通過できるように光信号通路を形成する。
【００４１】
いくつかの実施形態では、永久磁石３３３はナノメートル永久磁石である。すなわち、永久磁石材料粒子がナノテクノロジーによって軟磁性材料層で一様に被覆される、あるいは、永久磁石材料および軟磁性材料が、永久磁石ナノ粒子を得るように、置換反応などの化学プロセスによって互いに結合される。次いで、ナノメートル永久磁石は、高圧成形や高温焼結などの技法によって製造される。ナノメートル永久磁石は、通常のＮｄ−Ｆｅ−Ｂ永久磁石に対して内部により高い磁気誘導強度を有する。したがって、同じ体積の永久磁石では、ナノメートル永久磁石を採用したレシーバはより高い音圧レベルを有する。
【００４２】
いくつかの実施形態では、磁気伝導性プレート３３５はＵ字形である。永久磁石３３３および磁気伝導性シート３３４は、Ｕ字形の磁気伝導性プレート３３５の下部に配置される。磁気伝導性プレート３３５の両側の延長部が、永久磁石３３３および磁気伝導性シート３３４の両側にまで上方に延びる。磁気伝導性プレート３３５の側面延長部のそれぞれと永久磁石３３３および磁気伝導性シート３３４の両側の対応する側面との間に隙間が形成され、音声コイル３３２はこの隙間に配置される。
【００４３】
支持部分３３−３は支持体３３６および保護カバー３３７を含む。支持体３３６は円環形状に形成される。支持体３３６の端部の周縁に周囲突出部が設けられる。保護カバー３３７は円環形状に形成される。ダイヤフラム３３１によって発生した音を外方に伝えることができるように、保護カバー３３７の中心に開口部を設けることができる。保護カバー３３７の一部は逆Ｌ字形を有する。保護カバー３３７の周縁には周縁凹所が設けられる。支持体３３６の周縁突出部に保護カバー３３７の周縁凹所が装着されることで、保護カバー３３７は支持体３３６に取り付けられる。ダイヤフラム３３１は、ダイヤフラムの縁部の取付部を用いて支持体３３６に取り付けられる。ダイヤフラム３３１の縁部の取付部は支持体３３６に接着方法で取り付けることができる。
【００４４】
いくつかの実施形態では、支持体３３６はナノ材料で作られる。保護カバー３３７もナノ材料で作ることができる。支持体３３６および保護カバー３３７は共に、射出成形を用いてナノ材料によって一体的に形成することができる。ナノ材料で作られた支持体３３６および保護カバー３３７は高強度を有しており、これによりレシーバ３３の機械的信頼性を高めることができる。
【００４５】
図８を参照すると、モバイル端末１００において、カメラ３１およびレシーバ３３は共に回路板３０に取り付けられる。カメラ３１はレシーバ３３の光信号通路３４に整列される。センサアセンブリ３２はカメラ３１のステップ上に取り付けることができる。一方、センサアセンブリ３２は回路板３０に電気的に接続される。センサアセンブリ３２は信号エミッタ３２１および信号レシーバ３２２を含む。信号エミッタ３２１および信号レシーバ３２２はそれぞれカメラ３１のカメラレンズの左右両側に配置することができる。
【００４６】
さらに図１および図２を参照されたい。
【００４７】
電池４０は、ハウジング５０の内部に取り付けられ、モバイル端末１００に電気エネルギーを供給するように構成される。
【００４８】
ハウジング５０は、モバイル端末１００の外部輪郭を形成するように構成される。ハウジング５０はプラスチックまたは金属で作ることができる。ハウジング５０は一体に形成することができる。
【００４９】
図９を参照すると、図９は、図１に示されているモバイル端末のＰ−Ｐ方向に沿って見た断面図である。カバープレート１０はハウジング５０に取り付けられる。カバープレート１０は開口部１１０を有する。表示画面２０もハウジング５０に取り付けられる。表示画面２０は開口部２１０（すなわち上述の第３の貫通孔２０３、これらの記述における用語「開口部（ａｐｅｒｔｕｒｅ）」と用語「貫通孔（ｔｈｒｏｕｇｈ  ｈｏｌｅ）」との間の厳密な違いはない）を有する。カバープレート１０は表示画面２０を覆う。開口部２１０は開口部１１０に整列される。回路板３０はハウジング５０内に取り付けられる。
【００５０】
カメラ３１およびレシーバ３３は回路板３０に取り付けられる。レシーバ３３はカメラ３１と表示画面２０との間に配置される。レシーバ３３は、レシーバ３３が音響信号を開口部２１０および開口部１１０経由で外方に伝えることができるように、開口部２１０および開口部１１０に整列される。レシーバ３３は光信号通路３４を有する。カメラ３１は、カメラ３１が外部から光信号を光信号通路３４、開口部２１０および開口部１１０経由で取得することができるように、光信号通路３４に整列される。
【００５１】
カメラ３１はモバイル端末１００の厚さ方向に沿ってレシーバ３３の下に配置されるので、表示画面２０内のカメラ３１およびレシーバ３３用の独立した開口部を設ける必要はない。したがって、表示領域に対する表示画面２０の開口部の占有が減少し、モバイル端末１００の画面に対する表示領域の比率が増大する。
【００５２】
いくつかの実施形態では、図１０に示すように、センサアセンブリ３２は回路板３０に取り付けることができる。センサアセンブリ３２は、センサアセンブリ３２が信号を光信号通路３４、開口部２１０、および開口部１１０経由で受け取るかつ／または放出することができるように、レシーバ３３の光信号通路３４に整列される。センサアセンブリ３２は信号エミッタ３２１および信号レシーバ３２２を含む。信号エミッタ３２１および信号レシーバ３２２はそれぞれカメラ３１の左右両側に配置することができる。
【００５３】
いくつかの実施形態では、センサアセンブリ３２は環境光センサをさらに含むことができる。環境光センサはカメラ３１の周囲に配置することができる。
【００５４】
いくつかの実施形態では、図１１に示すように、カメラ３１にはステップ３１０が形成される。ステップ３１０のステップ表面は表示画面２０と向かい合い、センサアセンブリ３２はステップ３１０上に配置することができる。センサアセンブリ３２は信号エミッタ３２１および信号レシーバ３２２を含む。信号エミッタ３２１および信号レシーバ３２２はそれぞれカメラ３１のカメラレンズの左右両側に配置することができる。
【００５５】
いくつかの実施形態では、センサアセンブリ３２は環境光センサをさらに含むことができる。環境光センサは、ステップ３１０上にかつカメラ３１のカメラレンズの周囲に配置することができる。
【００５６】
図１２に示すように、モバイル端末内に取り付けられるように構成されたレシーバおよびカメラアセンブリが、レシーバ３３、カメラ３１を含む本開示の諸実施形態に設けられる。レシーバ３３は光信号通路３４を有し、カメラ３１は光信号通路３４に整列される。レシーバ３３およびカメラ３１は一体化することができる。具体的には、レシーバ３３およびカメラ３１は取付板３５に取り付けることができる。取付板３５は、モバイル端末の回路板に接続されるように構成することができる。
【００５７】
本開示の実施形態によって提供されるモバイル端末は詳細に上述され、本開示の原理および実施形態を説明するために特定の例が本明細書に使用される。前述の実施形態の説明は、単に本開示を理解するのを助けるためのものである。一方、当業者は、本開示の考えに従って特定の実施形態および適用範囲に修正を加えることができる。要約すれば、本明細書の内容は本開示を限定すると解釈されるべきではない。
【図１】
0006783393.tif 000002
【図２】
0006783393.tif 000003
【図３】
0006783393.tif 000004
【図４】
0006783393.tif 000005
【図５】
0006783393.tif 000006
【図６】
0006783393.tif 000007
【図７】
0006783393.tif 000008
【図８】
0006783393.tif 000009
【図９】
0006783393.tif 000010
【図１０】
0006783393.tif 000011
【図１１】
0006783393.tif 000012
【図１２】
0006783393.tif 000013